(57)【要約】  【課題】  本発明は、アイロン本体のタンクに水が自動的に供給されるアイロン装置において、アイロン本体とスタンドとの水路の接続が確実に行えるようにした、アイロン掛けの失敗のない使い勝手のよいアイロン装置を得ることを目的とするものである。  【解決手段】  アイロン本体をスタンドに載置する際に、受水部と給水部の接続が、受電部と給電部の接続に先んじてなされるようにし、また、アイロン本体が前記スタンドから離脱する際に、受電部と給電部の接続が、受水部と給水部の接続に先んじて解除されるようにしたものである。【選択図】  図１
2005040320.tif 000002
【特許請求の範囲】
【請求項１】
ヒータによって加熱されるベース、前記ベースに形成した気化室、前記気化室に供給される水を貯えるタンク、前記タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部と、前記アイロン本体の前記受電端子と電気的に接続される電極を有する給電部を備えたスタンドとを具備し、前記アイロン本体を前記スタンドに載置する際に、前記受水部と前記給水部の接続が、前記受電部と前記給電部の接続に先んじてなされるようにしたアイロン装置。
【請求項２】
ヒータによって加熱されるベース、前記ベースに形成した気化室、前記気化室に供給される水を貯えるタンク、前記タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部と、前記アイロン本体の前記受電端子と電気的に接続される電極を有する給電部を備えたスタンドとを具備し、前記アイロン本体が前記スタンドから離脱する際に、前記受電部と前記給電部の接続が、前記受水部と前記給水部の接続に先んじて解除されるようにしたアイロン装置。
【発明の詳細な説明】
【技術分野】
【０００１】
本発明は衣類等のしわ伸ばしを行うアイロン本体をスタンドに載置することにより、同アイロン本体のタンクに水が自動的に供給されるアイロン装置に関するものである。
【背景技術】
【０００２】
従来、この種のアイロン装置は、スタンドに貯水タンクと載置部を設け、上記載置部にアイロン本体を載置することによって、同アイロン本体内に水が供給されるようになっていた（例えば、特許文献１参照）。
【特許文献１】特開平６−２３２００号公報
【発明の開示】
【発明が解決しようとする課題】
【０００３】
しかし、特許文献１に記載された構造のものでは、アイロン本体の弁装置とスタンドの給水弁装置との接続が不十分な場合に給排水装置がアイロン本体へ給水動作してしまうと、アイロン本体の弁装置とスタンドの給水弁装置との間で水漏れを起こし衣類などを濡らしてしまい、輪ジミ等の問題や、濡れた衣類を乾燥させる作業時間を要するといった問題があった。
【０００４】
そこで、本発明はアイロン本体とスタンドとの水路の接続が確実に行えるようにした、アイロン掛けの失敗のない使い勝手のよいアイロン装置を得ることを目的としている。
【課題を解決するための手段】
【０００５】
そして、上記目的を達成するために本発明は、ヒータによって加熱されるベース、前記ベースに形成した気化室、前記気化室に供給される水を貯えるタンク、前記タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部と、前記アイロン本体の前記受電端子と電気的に接続される電極を有する給電部を備えたスタンドとを具備し、前記アイロン本体を前記スタンドに載置する際に、前記受水部と前記給水部の接続が、前記受電部と前記給電部の接続に先んじてなされるようにしたことを第１の課題解決手段としている。
【０００６】
また、本発明は、ヒータによって加熱されるベース、前記ベースに形成した気化室、前記気化室に供給される水を貯えるタンク、前記タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部と、前記アイロン本体の前記受電端子と電気的に接続される電極を有する給電部を備えたスタンドとを具備し、前記アイロン本体が前記スタンドから離脱する際に、前記受電部と前記給電部の接続が、前記受水部と前記給水部の接続に先んじて解除されるようにしたことを第２の課題解決手段としている。
【発明の効果】
【０００７】
本発明の請求項１に記載の発明によれば、ヒータによって加熱されるベース、前記ベースに形成した気化室、前記気化室に供給される水を貯えるタンク、前記タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部と、前記アイロン本体の前記受電端子と電気的に接続される電極を有する給電部を備えたスタンドとを具備し、前記アイロン本体を前記スタンドに載置する際に、前記受水部と前記給水部の接続が、前記受電部と前記給電部の接続に先んじてなされるようにしているので、前記受水部と前記給水部の接続が行われた後で、前記受電部と前記給電部の接続され、アイロン本体からアイロン本体のタンクの水位情報がスタンド側の給水装置制御手段に伝えられ、給水装置が駆動されることになる。
【０００８】
すなわち、前記受水部と前記給水部の接続がおこなわれないと給水装置が動作しないため、確実に給水することができる。よって、アイロン本体の受水部とスタンドの給水部との間での水漏れにより衣類などを濡らすことなく、輪ジミ等の問題や、濡れた衣類を乾燥させる作業時間を要することを防止することでき、アイロン掛けの失敗のない使い勝手のよいアイロン装置を得ることできる。
【０００９】
また、請求項２に記載の発明によれば、ヒータによって加熱されるベース、前記ベースに形成した気化室、前記気化室に供給される水を貯えるタンク、前記タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部と、前記アイロン本体の前記受電端子と電気的に接続される電極を有する給電部を備えたスタンドとを具備し、前記アイロン本体が前記スタンドから離脱する際に、前記受電部と前記給電部の接続が、前記受水部と前記給水部の接続に先んじて解除されるようにしているので、まだ前記受水部と前記給水部が接続されている内に、前記受電部と前記給電部の接続が解除される、すなわち、アイロン本体からアイロン本体のタンクの水位情報が途切れるため、給水制御手段が給水装置を停止する。
【００１０】
したがって、前記受水部と前記給水部の接続が解除された後に給水装置が駆動されることにより、前記受水部と前記給水部の間の水漏れを防止することができる。すなわち、アイロン本体の受水部とスタンドの給水部との間での水漏れにより衣類などを濡らすことなく、輪ジミ等の問題や、濡れた衣類を乾燥させる作業時間を要することを防止することでき、アイロン掛けの失敗のない使い勝手のよいアイロン装置を得ることできる。
【発明を実施するための最良の形態】
【００１１】
本発明の請求項１に記載の発明は、ヒータによって加熱されるベース、前記ベースに形成した気化室、前記気化室に供給される水を貯えるタンク、前記タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部と、前記アイロン本体の前記受電端子と電気的に接続される電極を有する給電部を備えたスタンドとを具備し、前記アイロン本体を前記スタンドに載置する際に、前記受水部と前記給水部の接続が、前記受電部と前記給電部の接続に先んじてなされるようにしたことで、前記受水部と前記給水部の接続が行われた後で、前記受電部と前記給電部の接続され、アイロン本体からアイロン本体のタンクの水位情報がスタンド側の給水装置制御手段に伝えられ、給水装置が駆動されることになる。すなわち、前記受水部と前記給水部の接続がおこなわれないと給水装置が動作しないため、確実に給水することができる。
【００１２】
請求項２に記載の発明は、ヒータによって加熱されるベース、前記ベースに形成した気化室、前記気化室に供給される水を貯えるタンク、前記タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部と、前記アイロン本体の前記受電端子と電気的に接続される電極を有する給電部を備えたスタンドとを具備し、前記アイロン本体が前記スタンドから離脱する際に、前記受電部と前記給電部の接続が、前記受水部と前記給水部の接続に先んじて解除されるようにしたことで、まだ前記受水部と前記給水部とが接続されている内に、前記受電部と前記給電部の接続が解除される、すなわち、アイロン本体からアイロン本体のタンクの水位情報が途切れるため、給水制御手段が給水装置を停止する。したがって、前記受水部と前記給水部の接続が解除された後に給水装置が駆動されることにより、前記受水部と前記給水部の間の水漏れを防止することができる。
【実施例１】
【００１３】
以下、本発明の一実施例を図面を用いて説明する。図１〜３において、１はアイロン本体で、蓋体２に覆われた気化室３を形成したベース４、このベース４を加熱するヒータ５、前記気化室３に導水路６を介して連結したタンク７、このタンク７に水を供給するための受水部８、前記ヒータ５に接続された受電端子９、前記タンク７の水位を検知する水位検知手段１０、前記アイロン本体１を作業者が持つための持ち手１１を有している。前記受水部８はアイロン本体１の持ち手１１の長手方向の延長線上において、前記受電端子９より上方かつ後方に設けられている。
【００１４】
１２はスタンドで、前記アイロン本体１を前記ベース４の後部を下方にして傾斜載置する載置部１３、アイロン本体１の受電端子９と各々接続される複数の給電部１４、前記アイロン本体１の受水部８と対向した位置、すなわち、前記受電端子９より上方かつ後方で、なおかつ、載置部１３の左右の中央に設けられた給水部１５、作業者がアイロン本体１を載置した時にアイロン本体１に設けられた受電端子９とスタンド１２に設けられた給電部１４を対向した位置にアイロン本体１を導くとともに、アイロン本体１に設けられた受水部８とスタンド１２に設けられた給水部１５を対向する位置にアイロン本体１を導くアイロン本体１の外郭に沿って配置されたガイド部１６、アイロン本体１のタンク７に給水部１５および受水部８を介して供給する水を貯えるための貯水タンク１７を有している。
【００１５】
さらに、上記スタンド１２には、前記貯水タンク１７に貯えられた水を給水部１５および受水部８を介してアイロン本体１のタンク７へ送るためのポンプ等で構成された給水装置１８、前記ヒータ５への通電およびこの給水装置１８の駆動を制御する複数の電子部品により構成された制御手段１９を有している。
【００１６】
ここで、図３に示すように、受水部８と給水部１５および受電端子９と給電部１４の寸法関係は、受電端子９と給電部１４の接続開始および接続解除時に、上記受水部８と上記給水部１５が水密的な接続に必要なシール代ａを確保するように設定されている。
【００１７】
上記構成において、次に動作、作用を説明する。まず、アイロンがけを行うときはアイロン本体１をスタンド１２の載置部１３に載置して電源を投入する。このとき、アイロン本体１に設けられている受水部８とスタンド１２に設けられている給水部１５はガイド部１６に案内されて対向した位置に案内され、接続される。そして、アイロン本体１のタンク７とスタンド１２の貯水タンク１７が連通状態となる。そして、その後、アイロン本体がシール代ａ後方に移動すると、受電端子９と給電部１４が接続され、水位検知手段１０により水位情報が制御手段１９に伝達することによって給水装置１８が駆動する。
【００１８】
すなわち、受水部８と給水部１５が水密的な接続に必要なシール代ａを確保した後、給水装置１８が駆動することとなる。給水装置１８が駆動すると、貯水タンク１７の水は給水部１５および受水部８を介して、アイロン本体１のタンク７へ給水される。アイロン本体１のタンク７に所定の水量が給水されると水位検知手段１０により検知し、制御手段１９によって給水装置１８が停止する。
【００１９】
また、ベース４はヒータ５が通電状態になることによって加熱され、所定の温度になるように制御手段によって制御されている。所定の温度になると作業者がアイロン本体１を持ちアイロン掛け作業をすることになるわけであるが、アイロン本体１を、作業者がスタンド１２から離脱させる時は、最初に受電端子９と給電部１４の接続が解除される。このとき、受水部８と給水部１５が水密的な接続に必要なシール代ａを確保している。すなわち、受電端子９と給電部１４の接続が解除され、水位検知手段１０による水位情報が途切れ給水装置１８が停止したとき、受水部８と上記給水部１５が水密的な接続に必要なシール代ａを確保していることとなる。
【図面の簡単な説明】
【００２０】
【図１】本発明の実施例におけるアイロン装置の断面図
【図２】同アイロン装置の平面図
【図３】同アイロン装置のアイロン本体のスタンドへの着脱状態を示す説明図
【符号の説明】
【００２１】
１  アイロン本体
８  受水部
９  受電端子
１２  スタンド
１３  載置部
１４  給電部
１５  給水部
【図１】
2005040320.tif 000003
【図２】
2005040320.tif 000004
【図３】
2005040320.tif 000005